(57)【要約】【課題】部品点数を減らして製造コストを低減できるとともに、ディスプレイを昇降させる際に、互いに摺接する部材を減らして長年の使用に耐えられるディスプレイの支持装置を提供すること。【解決手段】脚体５に対して昇降自在に立設された立設基部３が設けられ、立設基部３の正面側にディスプレイ２が着脱自在に取り付けられるディスプレイの支持装置１であって、脚体５は、内向きに開口する溝状のガイド部１３ｂが形成された断面視で略コ字形状をなす左右一対の支柱１３を有し、両支柱１３のガイド部１３ｂは、互いに対向して配置され、立設基部３は、その左右両側部が両ガイド部１３ｂに嵌合されて両ガイド部１３ｂに沿って昇降される。【選択図】図５
2010107746.tif 000002
【特許請求の範囲】
【請求項１】
脚体に対して昇降自在に立設された立設基部が設けられ、該立設基部の正面側にディスプレイが着脱自在に取り付けられるディスプレイの支持装置であって、
前記脚体は、内向きに開口する溝状のガイド部が形成された断面視で略コ字形状をなす左右一対の支柱を有し、該両支柱のガイド部は、互いに対向して配置され、前記立設基部は、その左右両側部が前記両ガイド部に嵌合されて該両ガイド部に沿って昇降されることを特徴とするディスプレイの支持装置。
【請求項２】
前記左右の両支柱の少なくとも正面側は、平面視で外側後方に向かう略円弧状をなす傾斜面となっていることを特徴とする請求項１に記載のディスプレイの支持装置。
【請求項３】
前記脚体の下部にキャスターを装着して移動可能とするとともに、前記支柱における外側面に把持部を設けることを特徴とする請求項１または２に記載のディスプレイの支持装置。
【請求項４】
棚板を支持する棚板支持ブラケットの係止片が係止されるスリット孔が上下方向に複数穿設された被係止フレームを、前記両支柱の正面側における前記ガイド部の対向する一側端部に設けることを特徴とする請求項１ないし３のいずれかに記載のディスプレイの支持装置。
【請求項５】
前記被係止フレームを、前記ガイド部の対向する一側端部から突設して平面視で略Ｌ字形状をなす嵌合片の内側部に嵌合し、該嵌合片の遊端部に、前記両支柱同士の前部同士を連結する前部パネル体の左右両端部を固着したことを特徴とする請求項１ないし４のいずれかに記載のディスプレイの支持装置。
【請求項６】
前記立設基部を所定の高さ位置で固定する位置固定手段が設けられ、該位置固定手段を操作する操作部が前記脚体の背面側に設けられることを特徴とする請求項１ないし５のいずれかに記載のディスプレイの支持装置。
【発明の詳細な説明】
【技術分野】
【０００１】
本発明は、脚体に対して昇降自在に立設された立設基部が設けられ、該立設基部の正面側にディスプレイが着脱自在に取り付けられるディスプレイの支持装置に関する。
【背景技術】
【０００２】
従来、ベース部材より立設されたガイド部材に対して上下方向へ摺動可能に設けられた昇降部材の上部に、チルト機構を介してディスプレイモニター取付用のブラケットを設けたディスプレイモニター用スタンドがある。このようなスタンドでは、略箱体形状をなす上部ケース体と下部ケース体の内部に、ガイド部材と昇降部材とが配置されている（例えば、特許文献１参照）。
【０００３】
【特許文献１】特開２００５−３００９２２号公報（第４，５頁、第２図）
【発明の開示】
【発明が解決しようとする課題】
【０００４】
しかしながら、特許文献１に記載のディスプレイモニター用スタンド（ディスプレイの支持装置）にあっては、下部ケース体（筐体）とガイド部材（支柱）とが別部材であるとともに、上部ケース体（筐体）と昇降部材（立設基部）とが別部材であるため、部品点数が増えて製造コストが嵩んでしまうとともに、長年の使用により上下のケース体に歪み等が発生すると、昇降部材を昇降させる際に、上部ケース体と下部ケース体とが互いに摺接して軋み音が発生してしまうという問題がある。
【０００５】
本発明は、このような問題点に着目してなされたもので、部品点数を減らして製造コストを低減できるとともに、ディスプレイを昇降させる際に、互いに摺接する部材を減らして長年の使用に耐えられるディスプレイの支持装置を提供することを目的とする。
【課題を解決するための手段】
【０００６】
前記課題を解決するために、本発明の請求項１に記載のディスプレイの支持装置は、
脚体に対して昇降自在に立設された立設基部が設けられ、該立設基部の正面側にディスプレイが着脱自在に取り付けられるディスプレイの支持装置であって、
前記脚体は、内向きに開口する溝状のガイド部が形成された断面視で略コ字形状をなす左右一対の支柱を有し、該両支柱のガイド部は、互いに対向して配置され、前記立設基部は、その左右両側部が前記両ガイド部に嵌合されて該両ガイド部に沿って昇降されることを特徴としている。
この特徴によれば、立設基部や支柱を覆う筐体などを設けずに済むようになるばかりか、支柱は、立設基部を案内するガイド部と筐体の構成を兼用しているので、部品点数を減らすことができ、ディスプレイの支持装置の製造コストを低減できるとともに、ディスプレイを昇降させる際に、互いに摺接する部材が支柱のガイド部と立設基部のみとなり、長年の使用に耐えられるディスプレイの支持装置を構成できる。
【０００７】
本発明の請求項２に記載のディスプレイの支持装置は、請求項１に記載のディスプレイの支持装置であって、
前記左右の両支柱の少なくとも正面側は、平面視で外側後方に向かう略円弧状をなす傾斜面となっていることを特徴としている。
この特徴によれば、支柱の正面側からディスプレイを取り付ける取付作業の際に、支柱の端面が作業者より離間し、取付作業を行い易くなるばかり、ディスプレイの支持装置をテーブル等に近づけた際に、支柱がテーブルの縁に当たって疵付ける虞もなくなる。
【０００８】
本発明の請求項３に記載のディスプレイの支持装置は、請求項１または２に記載のディスプレイの支持装置であって、
前記脚体の下部にキャスターを装着して移動可能とするとともに、前記支柱における外側面に把持部を設けることを特徴としている。
この特徴によれば、使用者が把持部を把持してディスプレイの支持装置を任意の場所に移動させることができる。
【０００９】
本発明の請求項４に記載のディスプレイの支持装置は、請求項１ないし３のいずれかに記載のディスプレイの支持装置であって、
棚板を支持する棚板支持ブラケットの係止片が係止されるスリット孔が上下方向に複数穿設された被係止フレームを、前記両支柱の正面側における前記ガイド部の対向する一側端部に設けることを特徴としている。
この特徴によれば、支柱の表面に棚板支持ブラケットが係止されるスリット孔を加工する必要が無くなり、容易な成型加工で棚板を支柱の正面側に架設することができる。
【００１０】
本発明の請求項５に記載のディスプレイの支持装置は、請求項１ないし４のいずれかに記載のディスプレイの支持装置であって、
前記被係止フレームを、前記ガイド部の対向する一側端部から突設して平面視で略Ｌ字形状をなす嵌合片の内側部に嵌合し、該嵌合片の遊端部に、前記両支柱同士の前部同士を連結する前部パネル体の左右両端部を固着したことを特徴としている。
この特徴によれば、棚板支持ブラケットを取り付けるための被係止フレームのスリット孔が、支柱の表面及び前部パネル体の表面よりも内方に位置するようになり、スリット孔を外方から目立たなくさせることができる。
【００１１】
本発明の請求項６に記載のディスプレイの支持装置は、請求項１ないし５のいずれかに記載のディスプレイの支持装置であって、
前記立設基部を所定の高さ位置で固定する位置固定手段が設けられ、該位置固定手段を操作する操作部が前記脚体の背面側に設けられることを特徴としている。
この特徴によれば、使用者が位置固定手段を操作する際に、立設基部の正面側に取り付けられたディスプレイに接触したり、ディスプレイの表示画面を遮ったりすることなく、操作を行えるようになる。
【発明を実施するための最良の形態】
【００１２】
本発明に係るディスプレイの支持装置を実施するための最良の形態を実施例に基づいて以下に説明する。
【実施例】
【００１３】
本発明の実施例を図面に基づいて説明すると、先ず図１は、本発明の実施例におけるディスプレイの支持装置を示す斜視図であり、図２は、立設基部の昇降及び縦杆の左右移動を示すディスプレイ支持装置を示す正面図であり、図３は、立設基部の昇降を示すディスプレイ支持装置を示す側面図であり、図４は、ディスプレイ支持装置を示す平面図であり、図５は、ディスプレイ支持装置を示す分解斜視図であり、図６は、支持部を示す側面図であり、図７は、図２におけるＡ−Ａ断面図であり、図８は、図２におけるＢ−Ｂ断面図であり、図９は、図２におけるＣ−Ｃ断面図である。以下、図３、図６の紙面左方側をディスプレイの支持装置の正面側（前方側）とし、図４、図７、図８、図９の紙面下方側をディスプレイの支持装置の正面側（前方側）として説明する。
【００１４】
図１の符号１は、本発明のディスプレイの支持装置である。このディスプレイの支持装置１は、例えば企業の会議室や屋内イベントの展示ブース等に設置され、上部に大型で薄型の液晶テレビ等のディスプレイ２を取り付けて使用されるようになっている。
【００１５】
図１〜図３に示すように、ディスプレイの支持装置１は、主にアルミやスチール等の金属材を用いて製作されている。このディスプレイの支持装置１は、上下方向に延びる装置胴部３を有している。この装置胴部３の下端部には、ディスプレイの支持装置１を床面に設置させるためのベース体４が取り付けられている。本実施例では、装置胴部３とベース体４とによって脚体５が構成されている。
【００１６】
装置胴部３の内部には、上部が装置胴部３の上方に突出して配置される立設基部６が立設されている。また、立設基部６の上部の正面側には、ディスプレイ２を支持するための支持部７が設けられている。
【００１７】
図２に示すように、支持部７には、左右方向を向く上下一対の上部横杆８ａと下部横杆８ｂとが取り付けられている。この上部横杆８ａ及び下部横杆８ｂには、上下方向を向く左右一対の縦杆９が取り付けられるようになっている。
【００１８】
両縦杆９には、前後方向に貫通する複数のスリット孔９ａと貫通孔９ｂとが穿設されている。両縦杆９をディスプレイ２の背面を縦杆９の正面に当接させた状態で、これらスリット孔９ａと貫通孔９ｂとに挿通させたネジによって、両縦杆９とディスプレイ２とを螺着する。両縦杆９は、ディスプレイ２を取り付けた状態で、上部横杆８ａ及び下部横杆８ｂに着脱自在に取り付けられる。
【００１９】
両縦杆９は、上部横杆８ａと下部横杆８ｂとに沿って左右方向の任意の位置に着脱自在となっている。縦杆９が左右方向に移動できることによって、様々なサイズのディスプレイ２を取り付けることができる。
【００２０】
更に、図３に示すように、装置胴部３から立設された立設基部６は、脚体５に対して昇降自在となっており、支持部７に取り付けられたディスプレイ２の高さ位置を変更でき、ディスプレイ２は任意の高さ位置で固定される。
【００２１】
次に、このディスプレイの支持装置１の具体的な構成について説明する。図５に示すように、ベース体４は、上部に立設基部６が配置される中央ベース４ａを備えている。この中央ベース４ａの上面の背面側には、後述する開閉可能な後部パネル体の下部を吸着するための左右一対の磁石１０が背面側を向いて取り付けられている。また、中央ベース４ａの下端部の背面側には、立設基部６を上下動させるための、本発明における操作部としての操作ペダル１１が取り付けられている。
【００２２】
この操作ペダル１１は、中央ベース４ａの上面中央に形成された操作凹部４ｂに接続されており、使用者が操作ペダル１１を踏むことによって、操作凹部４ｂ内に配置されたガススプリング１２を操作できるようになっている。また、中央ベース４ａの左右背面側には、中央ベース４ａの上面から背面にかけて下方に傾斜をなす傾斜面４ｃが形成されている。
【００２３】
この中央ベース４ａの左右方向には、前後方向に向けて側脚４ｅが延設されている側部ベース４ｄが取り付けられている。両側部ベース４ｄから延設されている計４本の側脚４ｅの先端部には、キャスター４ｆが取り付けられており、ディスプレイの支持装置１が床面上を移動できるようにしている。
【００２４】
尚、図４に示すように、これら側脚４ｅは、ディスプレイの支持装置１の背面側に延設されている側脚４ｅよりも正面側に延設されている側脚４ｅの方が長く形成されており、これら４本の側脚４ｅは平面視で略Ｘ形状をなすように配置されている。このため、ディスプレイの支持装置１は、側脚４ｅによってディスプレイ２の荷重によって正面側に向けて不用意に傾倒しないように支持されている。
【００２５】
図５に示すように、左右の側部ベース４ｄの上面には、上下方向を向く支柱１３が立設されている。両支柱１３の正面は、平面視で左右外側後方に向かう略円弧状をなす傾斜面１３ａとなっている。両支柱１３の左右外側面の上部には、本発明における把持部としての側方把持部１４が取り付けられており、使用者はこの側方把持部１４を把持することで、ディスプレイの支持装置１を移動させることができるようになっている。
【００２６】
両支柱１３の左右内側面には、互いに対向する本発明におけるガイド部としてのガイド溝１３ｂが上下方向に形成されており、図８に示すように、支柱１３は、横断面視で略コ字形状をなすように形成されている。
【００２７】
また、支柱１３の正面側の左右内側端部には、支柱１３の上下長さ略全長に亘って平面視で略Ｌ字形状をなす嵌合片１３ｃが設けられている。嵌合片１３ｃの正面側は、支柱１３から離間している遊端部となっており、この遊端部と支柱１３間には、正面側に向かって開口する係止溝１３ｄが形成されている。この係止溝１３ｄ内には、正面側に向けて上下方向に複数のスリット孔１５ａが形成された被係止フレーム１５が嵌合されている。
【００２８】
そして、両支柱１３間の正面端部には、装置胴部３の正面側を閉塞するための前部パネル体１６が配置されている。この前部パネル体１６の背面には、ディスプレイの支持装置１の背面側に向かって開口する平面視で略コ字形状をなす取付金具１６ａが取り付けられており、この取付金具１６ａは、前部パネル体１６が両支柱１３間に配置されることで嵌合片１３ｃ間に配置される。
【００２９】
この状態で、取付金具１６ａを装置胴部３の内方から嵌合片１３ｃに対して螺着することにより、前部パネル体１６は、両支柱１３を連結して取り付けられている。更に、前部パネル体１６は、左右の係止溝１３ｄの正面側を閉塞しないように配置されて螺着されている。前部パネル体１６と支柱１３との間には、間隙が形成される。
【００３０】
尚、本実施例におけるディスプレイの支持装置１は、装置胴部３の正面側にノートＰＣやディスプレイ２を操作するためのリモートコントローラ等の物品を載置可能な天板１７を取り付けることができる。
【００３１】
図３に示すように、天板１７の下面には、後端部に係止片１８ａを有する棚板支持ブラケット１８が固着されている。天板１７を装置胴部３に取り付ける際には、係止片１８ａを、前部パネル体１６と支柱１３との間に形成された両間隙に挿通させて、この係止片１８ａを被係止フレーム１５のスリット孔１５ａに係止させる。
【００３２】
また、図５に示すように、両支柱１３の上端面には、上方から上部板１９が取り付けられている。この上部板１９には、両支柱１３に形成されているガイド溝１３ｂが上方から連通するように連通切欠１９ａが形成されており、この連通切欠１９ａが背面側に向かって開口し、上部板１９は平面視で略Ｃ字形状に形成されている。
【００３３】
両支柱１３間の後部には、装置胴部３の背面側を閉塞するための後部パネル体２０が取り付けられている。図８に示すように、この後部パネル体２０は、金属材から構成されており、左右端部を正面側に向けて屈曲させた平面視で略コ字形状に形成されている。これら屈曲させた左右端部の上部には、正面側に向かって開口する軸受部２０ａが形成されている。
【００３４】
一方、両支柱１３の後部の左右内側面の上部には、後部パネル体２０の軸受部２０ａを係止するための係止軸２１が左右方向を向いて取り付けられている。後部パネル体２０は両係止軸２１に軸受部２０ａを係止させるとともに、下端部を中央ベース４ａの上面に取り付けられた磁石１０の磁力によって装置胴部３の内方に向けて引き付けさせる事で装置胴部３の背面側が後部パネル体２０により閉塞される。
【００３５】
後部パネル体２０を開放することで装置胴部３内部にアクセスすることができる。また、中央ベース４ａの左右端部には、傾斜面４ｃが形成されているため、装置胴部３の背面側を閉塞する後部パネル体２０と両傾斜面４ｃとの間には、装置胴部３の内部と外部とに連通する間隙が形成されている。
【００３６】
尚、前述した両支柱１３と前部パネル体１６及び後部パネル体２０の表面によって、装置胴部３の外周面が構成されている。すなわち両支柱１３は、外部に露呈された装置胴部３の筐体の一部を構成している。
【００３７】
立設基部６は、前述したようにベース体４に立設された両支柱１３のガイド溝１３ｂに上部板１９の連通切欠１９ａを介して上方から嵌合される。また、立設基部６の左右寸法及び前後寸法は、ガイド溝１３ｂ及び連通切欠１９ａを上下動可能な大きさに形成されている。
【００３８】
図５に示すように、立設基部６は、左右の上下方向を向く側部フレーム６ａを有している。両側部フレーム６ａの背面側の上端部間には、使用者が把持可能な後部把持部２２が渡設されている。また、両側部フレーム６ａ間の上下方向の略中間部には、中間フレーム６ｂが渡設されている。この中間フレーム６ｂの正面側の上部には、両側部フレーム６ａ間を閉塞するための前部閉塞板２３が取り付けられている。
【００３９】
更に、中間フレーム６ｂの背面側上部には、後部閉塞板２４が取り付けられている。両側部フレーム６ａと前部閉塞板２３と後部閉塞板２４とで囲まれた空間は、ディスプレイ２の配線Ｃ（図８参照）を挿通させるための配線配置空間２５に形成されている。尚、中間フレーム６ｂと後部閉塞板２４との間には、間隙が形成されており、この間隙からディスプレイ２の配線Ｃを装置胴部３内を下方に向けて延設できるようになっている。
【００４０】
そして、中間フレーム６ｂには、本発明における位置固定手段としてのガススプリング１２の上端部が取り付けられている。このガススプリング１２は、圧縮空気（ガス）を封入させたシリンダ１２ａと、このシリンダ１２ａ内部に配置され、シリンダ１２ａの先端部から出し入れされる図示しないピストンロッドとを有しており、下端部を押圧されることによって、ピストンロッドの出し入れがなされて、ガススプリング１２の上下長さが変更可能となっている。
【００４１】
また、両側部フレーム６ａの下端部には、下部フレーム６ｃが渡設されている。この下部フレーム６ｃの上面中央には、上下方向に貫通孔６ｄが穿設される。この貫通孔９ｂにガススプリング１２の下端部が挿通されており、下部フレーム６ｃの下方にガススプリング１２の下端部が配置されている。
【００４２】
前述したように、立設基部６は、ガススプリング１２のピストンロッドがシリンダ１２ａ内部に収納されている状態で、装置胴部３内に上方から左右の側部フレーム６ａがガイド溝１３ｂに嵌合するように挿通される。そして、ガススプリング１２の下端部を操作凹部４ｂ内に配置することで、立設基部６は脚体５内で立設される。
【００４３】
図２及び図３に示すように、使用者が後部把持部２２を把持して上向きに力を加えながら操作ペダル１１を踏むことによって、ガススプリング１２から上方に向けてピストンロッドが延設され、立設基部６が上昇する。上昇した立設基部６はシリンダ１２ａ内の圧縮空気の圧力によって上昇位置が固定される。尚、上昇した立設基部６を降下させるには、使用者が後部把持部２２を把持して下向きに力を加えながら、再び操作ペダル１１を踏むことによって、ピストンロッドをシリンダ１２ａ内に収納される。
【００４４】
尚、図９に示すように、両支柱１３のガイド溝１３ｂの下部の内側には、両側部フレーム６ａの左右外側面と正面と背面とに当接するように、摺動部２６が設けられている。この摺動部２６は、摩擦抵抗の少ない複数のボールベアリング２６ａを、ガイド溝１３ｂと側部フレーム６ａとの間に配置し、これらボールベアリング２６ａをガイド溝１３ｂに対して板材２６ｂによって取り付けることで構成されている。
【００４５】
この板材２６ｂには、ボールベアリング２６ａがガイド溝１３ｂと側部フレーム６ａとの両方に当接可能とする孔部２６ｃが複数穿設されており、ボールベアリング２６ａは、これら孔部２６ｃから側部フレーム６ａに当接することによって、立設基部６の昇降のガイドを行っている。
【００４６】
図５に示すように、立設基部６の支持部７は、立設基部６の上部の正面側に取り付けられる取付部材２７と、この取付部材２７の正面の左右に取り付けられる一対の固定部材２８と、上部横杆８ａ及び下部横杆８ｂに連結される連結部材２９とから構成されている。
【００４７】
取付部材２７は、ディスプレイの支持装置１の背面側に向かって開口する略箱状に形成されており、その左右側面には、ディスプレイ２の配線Ｃを挿通させるための上部切欠２７ａが形成されている。
【００４８】
図７に示すように、固定部材２８は、取付部材２７に螺着する取付片２８ａと、この取付片２８ａの左右外側端面から正面側に向かって延設された固定片２８ｂと、から構成されている。また、固定部材２８は、平面視で略Ｌ字形状に形成されている。固定片２８ｂの上部には、円形状の円形孔部２８ｃが形成されているとともに、固定片２８ｂの下部には、前後方向に長い長円形状の長円孔部２８ｄが形成されている。
【００４９】
また、連結部材２９は、支持片２９ａと、この支持片２９ａの左右外側端部から正面側に向かって延設された連結片２９ｂと、から構成されている。また、連結部材２９は、平面視で正面側に開口する略コ字形状に形成されている。これら連結片２９ｂの上部には、上部横杆８ａが固着されるとともに、連結片２９ｂの下部には、下部横杆８ｂが固着されている。尚、図６に示すように、上部横杆８ａ及び下部横杆８ｂは、側面視で円形に形成された円柱形状をなしており、連結部材２９の左右外側方に向かって延設されている。
【００５０】
上部横杆８ａ及び下部横杆８ｂには、連結部材２９の左右外側方から固定部材２８が取り付けられている。具体的には、両固定部材２８は左右外側方向から上部横杆８ａに円形孔部２８ｃを挿通させるとともに、下部横杆８ｂに長円孔部２８ｄを挿通させて、連結部材２９を両固定部材２８間に配置させる。この状態で、両固定部材２８の取付片２８ａを取付部材２７の正面に螺着することによって、連結部材２９が固定部材２８と取付部材２７を介して立設基部６に取り付けられる。
【００５１】
尚、図６に示すように、連結部材２９は、上部横杆８ａが円形孔部２８ｃに挿通され、下部横杆８ｂが長円形孔部２８ｃに挿通されているため、上部横杆８ａを支軸として長円形孔部２８ｃの前後寸法の範囲で前後揺動可能となっている。
【００５２】
ディスプレイ２を正面に取り付けて上部横杆８ａ及び下部横杆８ｂに取り付けられる縦杆９には、図５及び図６に示すように、背面側上部に上部横杆８ａに係合するためのフック部９ｃが設けられている。
【００５３】
また、縦杆９の背面側下部には、下部横杆８ｂに下方から当接する締結部９ｄが設けられている。この締結部９ｄには、摘み部３０ａを有する本発明における螺合部材としてのユリアネジ３０が螺合可能となっている。図６に示すように、フック部９ｃが上部横杆８ａに係合した縦杆９の締結部９ｄを下部横杆８ｂの下部に当接させた後、締結部９ｄに下方からユリアネジ３０を螺合させることで、ユリアネジ３０の先端が下部横杆８ｂに当接するようになっている。
【００５４】
このとき、ユリアネジ３０の先端が下部横杆８ｂに当接したことによって摩擦力が発生するため、縦杆９はこの摩擦力によって上部横杆８ａ及び下部横杆８ｂでの位置を固定される。尚、ディスプレイ２の左右位置を変更したい場合には、両縦杆９のユリアネジ３０を緩めて縦杆９を上部横杆８ａ上で左右方向にスライド移動可能とすることで適宜調整することもできる。
【００５５】
また、上部横杆８ａ及び下部横杆８ｂに取り付けられた縦杆９は、連結部材２９が上部横杆８ａを支軸として前後方向に揺動可能となっているため、この連結部材２９と同じく、縦杆９は前後方向に揺動可能となっている。具体的には、縦杆９は正面が垂直となっている状態から下部横杆８ｂが長円孔部２８ｄを後方に移動することで、下端部側が後方に向けて所定の傾斜角度θをなして揺動するようになっている。
【００５６】
更に、図５に示すように、両固定部材２８の固定片２８ｂには、前後２つの調整孔２８ｅが形成されており、連結部材２９の連結片２９ｂには、螺着孔２９ｃが形成されている。これら２つの調整孔２８ｅのうち、正面側の調整孔２８ｃは、図６に示すように、縦杆９の正面が垂直となっている状態で螺着孔２９ｃと連通するようになっており、背面側の調整孔２８ｃは、縦杆９が所定の傾斜角度θをなして揺動した状態で螺着孔２９ｃと連通するようになっている。
【００５７】
そして、どちらかの調整孔２８ｃと連通した螺着孔２９ｃに摘み部３１ａを有するユリアネジ３１（螺合部材）が連通した調整孔２８ｃから螺着されることによって、連結部材２９が固定部材２８に対して固定される。尚、調整孔２８ｃと螺着孔２９ｃ及びユリアネジ３１は、本発明における位置決め手段を構成している。
【００５８】
このため、本発明におけるディスプレイの支持装置１の縦杆９に取り付けられているディスプレイ２は、画面を垂直な状態と、下方に向けて所定の傾斜角度θをなして傾斜させた状態とで調整可能となっている。尚、このディスプレイ２の所定の傾斜角度θは、長円孔部２８ｄの前後寸法によって変化させることができる。更に尚、本実施例では、所定の傾斜角度θがおよそ５度程度となっている。
【００５９】
尚、ディスプレイ２の配線Ｃは、取付部材２７の上部切欠２７ａに挿通させた後に、前部閉塞板２３及び後部閉塞板２４で囲まれた配線配置空間２５を通過させ、中央ベース４ａの傾斜面４ｃと後部パネル体２０間に形成された間隙を介して外部に延設させることにより、ディスプレイの支持装置１の正面側から配線Ｃを隠蔽して、ディスプレイ２を他の映像機器や電源等に接続することができる。
【００６０】
以上説明したように、本発明の実施例としてのディスプレイの支持装置１では、脚体５は、内向きに開口する溝状のガイド溝１３ｂが形成された断面視で略コ字形状をなす左右一対の支柱１３を有し、両支柱１３のガイド溝１３ｂは、互いに対向して配置され、立設基部３は、その左右両側部が両ガイド溝１３ｂに嵌合されて両ガイド溝１３ｂに沿って昇降されることで、立設基部３や支柱１３を覆う筐体などを設けずに済むようになるばかりか、支柱１３は、立設基部３を案内するガイド溝１３ｂと筐体の構成を兼用しているので、部品点数を減らすことができ、ディスプレイの支持装置１の製造コストを低減できるとともに、ディスプレイ２を昇降させる際に、互いに摺接する部材が支柱１３のガイド溝１３ｂと立設基部３のみとなり、長年の使用に耐えられるディスプレイの支持装置１を構成できる。尚、立設基部３の左右方向の寸法を大きく形成することができ、ディスプレイ２の支持強度を向上させることができる。
【００６１】
また、左右の両支柱１３の少なくとも正面側は、平面視で外側後方に向かう略円弧状をなす傾斜面１３ａとなっていることで、支柱１３の正面側からディスプレイ２を取り付ける取付作業の際に、支柱１３の端面が作業者より離間し、取付作業を行い易くなるばかり、ディスプレイの支持装置１をテーブル等に近づけた際に、支柱１３がテーブルの縁に当たって疵付ける虞もなくなる。
【００６２】
また、脚体５の下部にキャスター４ｆを装着して移動可能とするとともに、支柱１３における外側面に側方把持部１４を設けることで、使用者が側方把持部１４を把持してディスプレイの支持装置１を任意の場所に移動させることができる。
【００６３】
また、天板１７を支持する棚板支持ブラケット１８の係止片１８ａが係止されるスリット孔１５ａが上下方向に複数穿設された被係止フレーム１５を、両支柱１３の正面側におけるガイド溝１３ｂの対向する一側端部に設けることで、支柱１３の表面に棚板支持ブラケット１８が係止されるスリット孔を加工する必要が無くなり、容易な成型加工で天板１７を支柱１３の正面側に架設することができる。
【００６４】
また、被係止フレーム１５を、ガイド溝１３ｂの対向する一側端部から突設して平面視で略Ｌ字形状をなす嵌合片１３ｃの内側部に嵌合し、嵌合片１３ｃの遊端部に、両支柱１３同士の前部同士を連結する前部パネル体１６の左右両端部を固着したことで、棚板支持ブラケット１８を取り付けるための被係止フレーム１５のスリット孔１５ａが、支柱１３の表面及び前部パネル体１６の表面よりも内方に位置するようになり、スリット孔１５ａを外方から目立たなくさせることができる。
【００６５】
また、立設基部３を所定の高さ位置で固定するガススプリング１２が設けられ、ガススプリング１２を操作する操作ペダル１１が脚体５の背面側に設けられることで、使用者がガススプリング１２を操作する際に、立設基部３の正面側に取り付けられたディスプレイ２に接触したり、ディスプレイ２の表示画面を遮ったりすることなく、操作を行えるようになる。
【００６６】
以上、本発明の実施例を図面により説明してきたが、具体的な構成はこれら実施例に限られるものではなく、本発明の要旨を逸脱しない範囲における変更や追加があっても本発明に含まれる。
【００６７】
例えば、前記実施例では、固定片２８ｂの上部に円形孔部２８ｃを形成するとともに固定片２８ｂの下部に長円形孔部２８ｃを形成し、円形孔部２８ｃに上部横杆８ａを挿通させるとともに、長円形孔部２８ｃに下部横杆８ｂを挿通させ、上部横杆８ａを支軸として連結部材２９が揺動するようにしたが、固定片２８ｂの上部に長円形孔部を形成するとともに固定片２８ｂの下部に円形孔部２８ｃを形成し、長円孔部に上部横杆８ａを挿通させるとともに、円形孔部に下部横杆８ｂを挿通させ、下部横杆８ｂを支軸として連結部材２９が揺動するようにしてもよい。
【００６８】
また、前記実施例では、位置固定手段としてのガススプリング１２を立設基部６に取り付け、このガススプリング１２を操作ペダル１１によって操作することで立設基部６を昇降させた後に、立設基部６の高さ位置を固定させたが、立設基部６の昇降とこの昇降による立設基部６の高さ位置を固定する機能を有していれば、位置固定手段はオイルダンパやバネ等の伸縮手段や係合部と被係合部で構成されるロック手段であってもよい。
【００６９】
また、前記実施例では、ディスプレイ２の配線Ｃを取付部材２７の上部切欠２７ａから挿通させ、配線Ｃを中央ベース４ａの傾斜面４ｃと後部パネル体２０間に形成された間隙から延設させることによって、ディスプレイの支持装置１の正面側から配線Ｃを隠蔽し、ディスプレイ２を他の映像機器や電源等に接続できるようにしたが、例えば、配線配置空間２５内にディスプレイ２に電力を供給するためのバッテリを収納して、上部切欠２７ａから挿通されたディスプレイ２の配線Ｃをこのバッテリに接続できるようにしてもよい。
【００７０】
また、前記実施例では、薄型液晶テレビ等をディスプレイ２として説明したが、ディスプレイ２は、例えば、ディスプレイの支持装置１の正面側から投影された映像を映し出すためのプロジェクタースクリーン等やその他の機器であってもよい。
【図面の簡単な説明】
【００７１】
【図１】本発明の実施例におけるディスプレイの支持装置を示す斜視図である。
【図２】立設基部の昇降及び縦杆の左右移動を示すディスプレイ支持装置を示す正面図である。
【図３】立設基部の昇降を示すディスプレイ支持装置を示す側面図である。
【図４】ディスプレイ支持装置を示す平面図である。
【図５】ディスプレイ支持装置を示す分解斜視図である。
【図６】支持部を示す側面図である。
【図７】図２におけるＡ−Ａ断面図である。
【図８】図２におけるＢ−Ｂ断面図である。
【図９】図２におけるＣ−Ｃ断面図である。
【符号の説明】
【００７２】
１                ディスプレイ支持装置
２                ディスプレイ
４ｆ              キャスター
５                脚体
６                立設基部
７                支持部
８ａ              上部横杆
８ｂ              下部横杆
９                縦杆
９ｃ              フック部
９ｄ              締結部
１１              操作ペダル（操作部）
１２              ガススプリング（位置固定手段）
１３              支柱
１３ａ            傾斜面
１３ｂ            ガイド溝（ガイド部）
１４              側方把持部（把持部）
１５              被係止フレーム
１５ａ            スリット孔
１６              前部パネル体
１７              天板
１８              棚板支持ブラケット
１８ａ            係止片
２８              固定部材
２８ｃ            円形孔部
２８ｄ            長円孔部
２８ｅ            調整孔（位置決め手段）
２９              連結部材
２９ｃ            螺着孔（位置決め手段）
３１              ユリアネジ（位置決め手段）
３１ａ            摘み部
【図１】
2010107746.tif 000003
【図２】
2010107746.tif 000004
【図３】
2010107746.tif 000005
【図４】
2010107746.tif 000006
【図５】
2010107746.tif 000007
【図６】
2010107746.tif 000008
【図７】
2010107746.tif 000009
【図８】
2010107746.tif 000010
【図９】
2010107746.tif 000011